(57)【特許請求の範囲】
【請求項１】
水を貯えるタンクと、
水を加熱する加熱装置と、
タンクと加熱装置の間で水を循環させる循環経路と、
不揮発性記憶装置を有する制御装置を備える熱機器であって、
制御装置は、循環経路及びタンクへの水張りを行う水張り運転を実行可能であって、
制御装置は、不揮発性記憶装置に、循環経路からの水抜きが行われたことを記憶可能であって、
制御装置は、電源投入時に、不揮発性記憶装置に水抜きが行われたことが記憶されている場合に、水張り運転が終了するまで加熱装置による水の加熱を禁止するように構成されている、熱機器。
【請求項２】
循環経路からの水抜きを行う水抜き運転を実行可能であって、
制御装置は、熱機器が水抜き運転を実行した場合に、不揮発性記憶装置に、循環経路からの水抜きが行われたことを記憶する、請求項１の熱機器。
【発明の詳細な説明】
【技術分野】
【０００１】
本発明は、熱機器に関する。
【背景技術】
【０００２】
特許文献１には、試運転時に循環加熱回路に自動的に水張りすることのできる貯湯給湯装置が開示されている。特許文献２には、試運転時に、貯湯槽への水張りと並行して循環加熱回路に自動的に水張りすることのできる貯湯給湯装置が開示されている。
【先行技術文献】
【特許文献】
【０００３】
【特許文献１】特開２０１３−２１０１１７号公報
【特許文献２】特開２０１３−２２４７９７号公報
【発明の概要】
【発明が解決しようとする課題】
【０００４】
水を貯えるタンクと、水を加熱する加熱装置と、タンクと加熱装置の間で水を循環させる循環経路と、制御装置を備える熱機器においては、冬場の長期間未使用時に、配管の凍結を防ぐために、利用者が水抜きを行う場合がある。また、このような熱機器においては、施工時に水張りを行った後、施工業者がいったん水抜きを行う場合もある。このような熱機器において、水抜きを行った後、再び水張りが行われる前に、加熱装置が加熱を開始してしまうと、加熱装置が空焚きをしてしまい、機器に損傷を与えるおそれがある。
【０００５】
本明細書では、加熱装置の空焚きを防止することができる熱機器を提供する。
【課題を解決するための手段】
【０００６】
本明細書が開示する熱機器は、水を貯えるタンクと、水を加熱する加熱装置と、タンクと加熱装置の間で水を循環させる循環経路と、不揮発性記憶装置を有する制御装置を備える。制御装置は、循環経路及びタンクへの水張りを行う水張り運転を実行可能であって、不揮発性記憶装置に、循環経路からの水抜きが行われたことを記憶可能であって、電源投入時に、不揮発性記憶装置に水抜きが行われたことが記憶されている場合に、水張り運転が終了するまで加熱装置による水の加熱を禁止するように構成されている。
【０００７】
上記の熱機器では、制御装置内の不揮発性記憶装置が、水抜きが行われたことを記憶している場合、水張り運転が終了するまで加熱装置が起動しないので、加熱装置の空焚きを防止することができる。
【０００８】
上記の熱機器は、循環経路からの水抜きを行う水抜き運転を実行可能であって、制御装置は、熱機器が水抜き運転を実行した場合に、不揮発性記憶装置に、循環経路からの水抜きが行われたことを記憶するようにしてもよい。
【０００９】
このような構成によると、水抜き作業がほぼ自動化されるので、作業が簡易化し、かつ確実に水を抜くことができる。また、水抜きが行われたことを制御装置が不揮発性記憶装置に自動的に記憶するので、利用者や施工業者が制御装置に水抜きが行われたことを入力する必要がない。
【００１０】
上記の熱機器は、電源投入時に、不揮発性記憶装置に水抜きが行われたことが記憶されていない場合に、制御装置が、所定時間が経過するまで加熱装置による水の加熱を禁止するようにしてもよい。
【００１１】
不揮発性記憶装置に水抜きが行われたことが記憶されていない場合でも、実際には利用者や施工業者が手動で水抜きを行っている場合がある。このような構成によると、電源投入時に、不揮発性記憶装置に水抜きが行われたことが記憶されていない場合であっても、一定時間は加熱装置が水の加熱を開始しないので、加熱装置の空焚きを防止することができる。なお、利用者や施工業者が手動で水抜きを行った場合には、電源投入後、それほど時間をかけずに利用者や施工業者によって水張り操作がなされると考えられるため、加熱装置による水の加熱を一定時間（例えば、手動の水張り操作により実行される水張り運転が終了するまでに要する時間）禁止しておけば、加熱装置の空焚きを防止することができる。
【発明の効果】
【００１２】
本明細書が開示する熱機器によれば、加熱装置の空焚きを防止することができる。
【図面の簡単な説明】
【００１３】
【図１】給湯システム１０の模式図。
【図２】給湯システム１０の水抜きモード選択時の動作を示すフローチャート図。
【図３】給湯システム１０の電源投入時の動作を示すフローチャート図。
【発明を実施するための形態】
【００１４】
（実施例）  図面を参照して実施例の給湯システム１０を説明する。図１は給湯システム１０の模式図であり、水及び冷媒の流れを矢印で示している。図１に示すように、給湯システム１０は、タンクユニット２０と、ヒートポンプユニット４０と、ガス熱源ユニット５０を備えている。給湯システム１０は、給湯栓８０と浴槽７２に給湯する。本明細書では、浴槽７２に給湯することを湯はりという。また、給湯システム１０は、浴槽７２に貯められた浴槽水を追い焚きする。
【００１５】
ヒートポンプユニット４０では、圧縮機４１の吐出側Ａと四方弁４２と第１熱交換器４３の冷媒流路４３ａと膨張弁４４と第２熱交換器４５と四方弁４２と圧縮機４１の戻り側Ｂが、冷媒配管４６によって順に接続されており、冷媒がこの順に循環する。第１熱交換器４３は、冷媒流路４３ａと循環水流路４３ｂとを備えている。第２熱交換器４５の近傍にはファン４５ａが設置されている。第２熱交換器４５は、ファン４５ａによって送られる外気と冷媒の間で熱交換を行う。圧縮機４１の吐出側Ａと四方弁４２との間の冷媒配管４６と、膨張弁４４と第２熱交換器４５との間の冷媒配管４６の間に、除霜経路４７が接続されている。除霜経路４７には、除霜弁４７ａが設けられている。
【００１６】
第１熱交換器４３の循環水流路４３ｂの入口側には循環往路接続経路４８が接続されており、出口側には循環復路接続経路４９が接続されている。循環往路接続経路４８には、入口側サーミスタ４８ａが設けられており、循環復路接続経路４９には出口側サーミスタ４９ａが設けられている。入口側サーミスタ４８ａは、循環水流路４３ｂに流入する循環水の温度を検出し、出口側サーミスタ４９ａは、循環水流路４３ｂから流出する循環水の温度を検出する。また、循環往路接続経路４８には、循環ポンプ４８ｂと水抜き経路９０が設けられている。水抜き経路９０は、排水弁９０ａが設けられている。排水弁９０ａを開くと、循環往路接続経路４８内に存在する水が水抜き経路９０を通じて外部に排出される。
【００１７】
ヒートポンプユニット４０は、コントローラ４０ａを備えている。コントローラ４０ａは、ＣＰＵ、ＲＯＭ、ＲＡＭ等を備えている。コントローラ４０ａには、入口側サーミスタ４８ａおよび出口側サーミスタ４９ａから、検出信号が入力される。また、コントローラ４０ａは、圧縮機４１、四方弁４２、膨張弁４４、ファン４５ａ、循環ポンプ４８ｂ、排水弁９０ａの動作を制御する。コントローラ４０ａには、ヒートポンプユニット４０の準備運転を開始する準備運転スイッチ４０ｃが設けられている。
【００１８】
タンクユニット２０は、貯湯槽２１と混合器２４とを備えている。貯湯槽２１の底部には、貯湯槽２１に水道水を給水する給水経路２２が接続されている。給水経路２２の水道水入口２２ａの近傍には、減圧弁２３と水抜き経路１０４が設けられている。給水経路２２には、減圧弁２３の下流側に混合器２４の混合用給水経路２６が接続されている。混合用給水経路２６には、給水制御弁２６ａが設けられている。減圧弁２３は、貯湯槽２１と混合器２４への給水圧力を調整する。貯湯槽２１内の温水が減少したり、給水制御弁２６ａが開いたりすると、減圧弁２３の下流側圧力が低下する。減圧弁２３は、下流側圧力が低下すると開き、その圧力を所定の調圧値に維持しようとする。このため、貯湯槽２１内の温水が減少したり、混合器２４の給水制御弁２６ａが開いたりすると、これらに水道水が給水される。また、水抜き経路１０４は、排水弁１０４ａが設けられている。排水弁１０４ａを開くと、給水経路２２内に存在する水が水抜き経路１０４を通じて外部に排出される。
【００１９】
給水経路２２において、混合用給水経路２６の接続部よりも下流側には、排水経路３１が接続されている。排水経路３１の途中には、排水弁３２が設けられている。排水弁３２は手動で開閉することができる。排水弁３２を開くと、貯湯槽２１内の水が排水経路３１を通じて外部に排水される。
【００２０】
貯湯槽２１の底部には、循環往路３３の一端が接続されており、貯湯槽２１の上部には、循環復路３４の一端が接続されている。循環往路３３の他端は、ヒートポンプユニット４０の循環往路接続経路４８に接続されており、循環復路３４の他端は、循環復路接続経路４９に接続されている。循環往路３３には、往路サーミスタ３６と水抜き経路１０６が設けられている。往路サーミスタ３６は、貯湯槽２１から循環往路３３に流出した水の温度を検出する。水抜き経路１０６は、排水弁１０６ａが設けられている。排水弁１０６ａを開くと、循環往路３３内に存在する水が水抜き経路１０６を通じて外部に排出される。
【００２１】
ヒートポンプユニット４０の循環ポンプ４８ｂが駆動すると、貯湯槽２１の下部から循環往路３３に水が吸出され、この水が循環水流路４３ｂを流れて、循環復路３４を通じて貯湯槽２１の上部に戻される。このようにして、貯湯槽２１とヒートポンプユニット４０との間の循環経路が構成されている。
【００２２】
循環復路３４の途中には、水抜き経路１０８と空気抜き経路３７と圧力開放経路３８が接続されている。空気抜き経路３７には、空気抜き弁３７ａが設けられている。圧力開放経路３８には、リリーフ弁３８ａが設けられている。リリーフ弁３８ａの開弁圧力は、減圧弁２３の調圧値よりも僅かに大きく設定されている。減圧弁２３の調圧が不能になった場合には、リリーフ弁３８ａが開き、貯湯槽２１内の圧力が耐圧可能な圧力を超えるのを防止する。貯湯槽２１では、その上端から所定量（例えば３０リットル）の箇所に上部サーミスタ３９が取り付けられている。上部サーミスタ３９は、貯湯槽２１上部の水温を検出する。水抜き経路１０８には、排水弁１０８ａが設けられている。排水弁１０８ａを開くと、循環復路３４内に存在する水が水抜き経路１０８を通じて外部に排出される。
【００２３】
混合器２４は、温水経路２５と混合用給水経路２６と第１混合経路２７を備えている。温水経路２５は、貯湯槽２１の上部に接続されている。温水経路２５には、温水制御弁２５ａと温水流量センサ２５ｂと温水サーミスタ２５ｃが設けられている。温水制御弁２５ａは、貯湯槽２１から温水経路２５へ流れる温水の流量を調整する。温水流量センサ２５ｂ及び温水サーミスタ２５ｃは、温水経路２５を流れる温水の流量と温度を検出する。混合用給水経路２６は、上記したように給水経路２２に接続されている。混合用給水経路２６には、上記した給水制御弁２６ａと、給水流量センサ２６ｂと給水サーミスタ２６ｃとが設けられている。給水制御弁２６ａは、混合用給水経路２６を流れる水道水の流量を調整する。給水流量センサ２６ｂと給水サーミスタ２６ｃは、混合用給水経路２６を流れる水道水の流量と温度を検出する。
【００２４】
温水経路２５と混合用給水経路２６とは合流して第１混合経路２７に接続されている。第１混合経路２７には、第１混合経路２７を流れる混合水の温度を検出する混合サーミスタ２７ａを備えている。
【００２５】
タンクユニット２０は、さらに第１給湯経路２９を備えている。第１給湯経路２９には、水抜き経路１００、給湯サーミスタ２９ａ、水抜き経路１０２が設けられている。水抜き経路１００には、排水弁１００ａが設けられている。排水弁１００ａを開くと、第２給湯経路５５、第１給湯経路２９内に存在する水が水抜き経路１００を通じて外部に排出される。また、水抜き経路１０２には、排水弁１０２ａが設けられている。排水弁１０２ａを開くと、給湯バイパス経路２８、第１給湯経路２９内に存在する水が水抜き経路１０２を通じて外部に排出される。第１給湯経路２９の先端には、給湯栓８０が接続されている。給湯栓８０は、浴室、洗面所、台所等に配置されている（図１では、これら複数の給湯栓８０を１つで代表して示している）。第１混合経路２７の途中と第１給湯経路２９の途中は、給湯バイパス経路２８によって接続されている。給湯バイパス経路２８には、バイパス制御弁２８ａが設けられている。バイパス制御弁２８ａを開いた状態では、第１混合経路２７を流れた混合水が給湯バイパス経路２８から第１給湯経路２９へ流れ、バイパス制御弁２８ａを閉じた状態では、第１混合経路２７を流れた混合水が、後記するガス熱源ユニット５０の第２混合経路５２へ流れる。第１混合経路２７が第２混合経路５２に接続される第１混合経路２７側には、水抜き経路９８がある。水抜き経路９８には、排水弁９８ａが設けられている。排水弁９８ａを開くと、第１混合経路２７、第２混合経路５２内に存在する水が水抜き経路９８を通じて外部に排出される。
【００２６】
タンクユニット２０は、コントローラ２０ａを備えている。コントローラ２０ａは、ＣＰＵ、ＲＯＭ、ＲＡＭ等を備えている。コントローラ２０ａには、温水サーミスタ２５ｃ、給水サーミスタ２６ｃ、混合サーミスタ２７ａ、給湯サーミスタ２９ａ、往路サーミスタ３６、上部サーミスタ３９、温水流量センサ２５ｂ、給水流量センサ２６ｂから、検出信号が入力される。また、コントローラ２０ａは、温水制御弁２５ａ、給水制御弁２６ａ、バイパス制御弁２８ａ、排水弁３２、空気抜き弁３７ａ、排水弁９８ａ、排水弁１００ａ、排水弁１０２ａ、排水弁１０４ａ、排水弁１０６ａ、排水弁１０８ａの動作を制御する。
【００２７】
ガス熱源ユニット５０は、給湯器５１を備えている。給湯器５１は、給湯用熱交換器５３と、給湯用バーナ５４と、追い焚き用熱交換器７６と、追い焚き用バーナ７８等を備えている。給湯用熱交換器５３の入口側は第２混合経路５２を介してタンクユニット２０の第１混合経路２７に接続されている。給湯用熱交換器５３には、第２混合経路５２を通じて混合水が流入する。第２混合経路５２には、水抜き経路９６と、入水サーミスタ５２ａと、給湯水量センサ５２ｂと、水量サーボ５２ｃとが設けられている。水抜き経路９６には、排水弁９６ａが設けられている。排水弁９６ａを開くと、第２混合経路５２内に存在する水が水抜き経路９６を通じて外部に排出される。入水サーミスタ５２ａと給湯水量センサ５２ｂは、それぞれ第２混合経路５２を流れる水の温度及び流量を検出する。水量サーボ５２ｃは、第２混合経路５２を流れる水の流量を調整する。給湯用バーナ５４はガス燃焼式であって、給湯用熱交換器５３を加熱する。給湯用熱交換器５３の出口側は第２給湯経路５５を介して第１給湯経路２９に接続されている。給湯用熱交換器５３を流れた温水は、第２給湯経路５５及び第１給湯経路２９を通じて給湯栓８０から給湯される。第２給湯経路５５には、給湯用熱交換器５３の出口近傍に、缶体サーミスタ５６が設けられており、その下流側に出湯サーミスタ５７が設けられている。出湯サーミスタ５７は、給湯用熱交換器５３の近傍に配置されている。
【００２８】
第２混合経路５２における水量サーボ５２ｃの下流側と、第２給湯経路５５の缶体サーミスタ５６と出湯サーミスタ５７の間には、熱源機バイパス経路５８が接続されている。第２混合経路５２と熱源機バイパス経路５８との接続部には、熱源機バイパス制御弁５９が設けられている。熱源機バイパス制御弁５９の開度を調整することによって、第２混合経路５２を流れる水の一部が熱源機バイパス経路５８に流れ、その流量が調整される。
【００２９】
第２給湯経路５５の出湯サーミスタ５７の下流側には、水抜き経路９４が設けられている。水抜き経路９４には、排水弁９４ａが設けられている。排水弁９４ａを開くと、第２給湯経路５５、湯はり経路７０内に存在する水が水抜き経路９４を通じて外部に排出される。また、出湯サーミスタ５７の下流側には、湯はり経路７０の一端が接続されている。湯はり経路７０の他端は、後述する風呂循環経路７１の戻り流路７６ａに接続されている。湯はり経路７０には、湯はり弁７０ａと湯はり量センサ７０ｂとが設けられている。風呂循環経路７１は、浴槽７２から追い焚き用熱交換器７６まで伸びている戻り流路７６ａと、追い焚き用熱交換器７６から浴槽７２にまで伸びている往き流路７６ｂを備えている。風呂循環経路７１は、浴槽７２と追い焚き用熱交換器７６との間で浴槽水を循環させるものである。風呂循環経路７１には、風呂ポンプ７３と、水圧センサ７９と、水流スイッチ７４と、風呂戻りサーミスタ７５と、追い焚き用熱交換器７６と、風呂往きサーミスタ７７とが順に設けられている。
【００３０】
湯はり弁７０ａを開くと、第２給湯経路５５を流れる温水が、破線矢印に示すように、戻り流路７６ａと往き流路７６ｂの両者から、浴槽７２に供給される。風呂ポンプ７３は、運転していないと、温水が逆流するのを許容する。
【００３１】
風呂ポンプ７３を駆動すると、浴槽７２内の湯が実線矢印に示すように、風呂循環経路７１を流れ、追い焚き用熱交換器７６を流れる際に、ガス燃焼式の追い焚き用バーナ７８によって加熱される。風呂戻りサーミスタ７５は、浴槽７２から風呂循環経路７１に流入した浴槽水の温度を検出するものであり、風呂往きサーミスタ７７は、追い焚き用熱交換器７６で加熱された後の浴槽水の温度を検出するものである。
【００３２】
ガス熱源ユニット５０は、コントローラ５０ａを備えている。コントローラ５０ａは、ＣＰＵ、ＲＯＭ、ＲＡＭ等を備えている。コントローラ５０ａには、入水サーミスタ５２ａ、缶体サーミスタ５６、出湯サーミスタ５７、風呂戻りサーミスタ７５、風呂往きサーミスタ７７、給湯水量センサ５２ｂ、湯はり量センサ７０ｂ、水流スイッチ７４、水圧センサ７９から、検出信号が入力される。また、コントローラ５０ａは、水量サーボ５２ｃ、熱源機バイパス制御弁５９、湯はり弁７０ａ、風呂ポンプ７３、給湯用バーナ５４、追い焚き用バーナ７８、排水弁９４ａ、排水弁９６ａの動作を制御する。
【００３３】
ヒートポンプユニット４０のコントローラ４０ａは、タンクユニット２０のコントローラ２０ａと通信可能である。タンクユニット２０のコントローラ２０ａは、ガス熱源ユニット５０のコントローラ５０ａと通信可能である。ガス熱源ユニット５０のコントローラ５０ａは、リモコン５０ｂと通信可能である。リモコン５０ｂには、給湯システム１０を操作するためのスイッチやボタン、給湯システム１０の動作状態を表示する液晶表示器等が設けられており、リモコン５０ｂで設定された情報がガス熱源ユニット５０に入力される。利用者は、リモコン５０ｂを利用して、給湯設定温度、湯はり設定温度、湯はり設定水位等の設定や、水抜き運転の開始をすることができる。また、リモコン５０ｂにはタイマが内蔵されており、現在時刻の情報を保持することができる。リモコン５０ｂに現在時刻が設定されると、沸き上げ運転を深夜の時間帯に行ったり、湯はり運転を所望の時刻に行ったりする、タイマ運転を行うことができる。
【００３４】
給湯システム１０では、以下に説明するように、沸き上げ運転、除霜運転、給湯運転、湯はり運転、追い焚き運転、水抜き運転等を行うことができる。
【００３５】
（沸き上げ運転）
沸き上げ運転では、貯湯槽２１に貯えられた水をヒートポンプユニット４０により加熱する。ヒートポンプユニット４０では、圧縮機４１で圧縮されて昇温した冷媒が、第１熱交換器４３の冷媒流路４３ａを流れる際に循環水流路４３ｂを流れる循環水を加熱する。冷媒流路４３ａから流出した冷媒は、膨張弁４４で膨張して冷却され、第２熱交換器４５を流れる際に外気から吸熱して昇温する。昇温した冷媒が圧縮機４１に流入して圧縮されることによってさらに昇温する。さらに、ヒートポンプユニット４０では、循環ポンプ４８ｂを駆動する。
【００３６】
循環ポンプ４８ｂの駆動により、タンクユニット２０では、貯湯槽２１内の水が貯湯槽２１の底部から循環往路３３に吸出される。循環往路３３に吸出された水は、ヒートポンプユニット４０の第１熱交換器４３の循環水流路４３ｂを通過する際に加熱されて温度上昇する。温度上昇した温水は、循環復路３４を流れて貯湯槽２１の上部に戻される。この循環が行われることによって、貯湯槽２１では、低温層の上部に高温層が積層した温度成層が形成される。貯湯槽２１に高温の温水が戻され続けると、高温層の厚さ（深さ）は次第に大きくなり、完全に蓄熱された状態では、貯湯槽２１の全体に高温の温水が貯まった状態になる。貯湯槽２１に完全に蓄熱が行われていなくても、温度成層が形成されることにより、貯湯槽２１の上部に接続されている温水経路２５には、高温の温水が送り出される。
【００３７】
（除霜運転）
除霜運転では、ヒートポンプユニット４０の第２熱交換器４５を除霜する。破線矢印に示すように、一時的に除霜弁４７ａが開いて圧縮機４１から吐出した高温の冷媒が、除霜経路４７を通じて第２熱交換器４５に流れるようにする。第２熱交換器４５に高温の冷媒が流れることで、第２熱交換器４５が除霜される。
【００３８】
（給湯運転）
温水流量センサ２５ｂの検出流量および給水流量センサ２６ｂの検出流量の合計が所定値を超えると、給湯栓８０または浴槽７２への給湯が開始されたと判断して、給湯システム１０は蓄熱給湯運転または加熱給湯運転を行う。貯湯槽２１の上部サーミスタ３９の検出水温が、リモコン５０ｂで設定されている給湯設定温度よりも一定温度だけ高い基準温度以上である場合には、蓄熱給湯運転が行われる。蓄熱給湯運転では、バイパス制御弁２８ａを開状態とし、水量サーボ５２ｃを全閉状態とする。また、混合サーミスタ２７ａで検出される水温が給湯設定温度となるように、温水制御弁２５ａの開度と給水制御弁２６ａの開度を調整する。給湯設定温度に調整された混合水は、第１混合経路２７を流れた後に、給湯バイパス経路２８及び第１給湯経路２９を通じて給湯栓８０から給湯される。
【００３９】
一方、上部サーミスタ３９の検出水温が基準温度未満である場合には、加熱給湯運転が行われる。加熱給湯運転では、バイパス制御弁２８ａを全閉状態とし、水量サーボ５２ｃを所定開度に設定する。また、混合サーミスタ２７ａで検出される水温が給湯設定温度よりも給湯用熱交換器５３による温度上昇幅だけ低い温度となるように、温水制御弁２５ａの開度と給水制御弁２６ａの開度を調整する。給湯設定温度よりも低い温度に調整された混合水は、第１混合経路２７を流れ、ガス熱源ユニット５０の第２混合経路５２を流れて給湯用熱交換器５３に流入し、給湯用バーナ５４により加熱される。給湯用熱交換器５３では、給湯用熱交換器５３の出口に設けられている缶体サーミスタ５６で検出される水温が６０℃以上となるように制御される。これにより、配管に結露水が発生することを抑制することができる。給湯設定温度が６０℃よりも低い場合には、出湯サーミスタ５７で検出される水温が給湯設定温度となるように、熱源機バイパス制御弁５９の開度が制御される。第２混合経路５２を流れる混合水の一部が熱源機バイパス経路５８を通じて第２給湯経路５５に流入し、給湯用熱交換器５３を流れた６０℃以上の水と給湯用熱交換器５３を流れていない低温の水とが混合されて給湯設定温度の温水となる。このようにして、給湯設定温度に調温された温水が、第２給湯経路５５と第１給湯経路２９を通じて給湯栓８０から給湯される。これにより、蓄熱給湯運転中に貯湯槽２１に貯湯しておいた温水を消費しつくした場合にも、給湯設定温度に調温された温水を給湯し続けることができる。
【００４０】
（湯はり運転）
浴槽７２に湯はり運転する場合は、給湯設定温度を湯はり設定温度に読み代えて、上記の加熱給湯運転を実施する。リモコン５０ｂに浴槽７２の湯はり要求が入力されると、湯はり弁７０ａを開いて浴槽７２に給湯する。第２給湯経路５５から湯はり経路７０を流れた湯は、破線矢印に示すように、戻り流路７６ａと往き流路７６ｂを通じて浴槽７２に給湯される。リモコン５０ｂで設定されている湯はり設定温度に応じた湯が浴槽７２に給湯される。
【００４１】
（追い焚き運転）
浴槽７２に貯められている浴槽水の温度が低下すれば、風呂ポンプ７３を運転し、追い焚き用バーナ７８を点火する。この追い焚き運転によって、浴槽７２の浴槽水が追い焚きされて、湯はり設定温度に復帰する。
【００４２】
（水抜き運転）
冬季に長期間給湯システム１０を使用しない場合、配管に水が残っていると、配管が凍結するおそれがある。そこで、本実施例の給湯システム１０では、配管内の水抜きを行う水抜き運転が可能である。リモコン５０ｂを介して水抜き運転の開始が指示されると、給湯システム１０は、図２に示す動作を行う。
【００４３】
ステップＳ１０で、コントローラ５０ａは、風呂ポンプ７３を作動させる。これにより、風呂循環経路７１内に存在する水を浴槽７２に流すことができ、その水は浴槽７２の排水栓（図示せず）から排水される。風呂ポンプ７３が作動して第１所定時間経過後、コントローラ５０ａは、風呂ポンプ７３を停止させる。第１所定時間は、例えば、６０秒間である。
【００４４】
ステップＳ１２では、コントローラ５０ａは、水流スイッチ７４で水流が検知されない状態が第２所定時間にわたって継続するかを確認する。ステップＳ１０で風呂ポンプ７３が６０秒間駆動することで、風呂循環経路７１内の水が完全に排水されていれば、水流スイッチ７４では水流が検知されることがない。そこで、水流スイッチ７４で水流が検知されない状態が１０秒間継続すれば、コントローラ５０ａは風呂循環経路７１内の水は全て排水されたものと判定する。
【００４５】
仮に、ステップＳ１２で、水流スイッチ７４で水流が検知されない状態が１０秒間継続しない場合、すなわち、風呂循環経路７１に水が残っていると考えられる場合、ステップＳ１０に戻り、コントローラ５０ａは再度風呂ポンプ７３を駆動する。これにより、風呂循環経路７１内の水が浴槽７２の排水栓（図示せず）から排水される。
【００４６】
ステップＳ１４では、コントローラ５０ａは、水量サーボ５２ｃが開いていれば水量サーボ５２ｃを全閉とし、湯張り弁７０ａが閉じていれば湯張り弁７０ａを開く。これによって、水量サーボ５２ｃよりも下流側の第２混合経路５２、熱交換器５３内、熱源機バイパス経路５８、第２給湯経路５５に存在する水が、湯はり経路７０を流れて、風呂循環経路７１を介して浴槽７２に流入する。
【００４７】
次いで、ステップＳ１６において、コントローラ５０ａは、湯はり量センサ７０ｂが検出する湯はり経路７０を通過する水量（以下、「湯はり流量」）が、一定条件を満たすか否かを判断する。この条件は、湯張り経路７０を経由して風呂循環経路７１に向かう水流の有無を確認するためのものである。この条件の例として、湯はり流量が、例えば、（１）毎分２リットルを超える状態が５秒間継続する場合、あるいは、（２）湯はり流量が０でない状態が２０秒間継続する場合などが挙げられる。
【００４８】
仮に、ステップＳ１６において、上記（１）や（２）の条件を満たす場合、水量サーボ５２ｃよりも下流側の第２混合経路５２、熱交換器５３内、熱源機バイパス経路５８、第２給湯経路５５から湯張り経路７０を経由して風呂循環経路７１に流入した水を排水する必要があるため、再度ステップＳ１０に戻り、コントローラ５０ａが風呂ポンプ７３を駆動し、風呂循環経路７１内の水抜きを行うことになる。
【００４９】
仮に、ステップＳ１６において、上記（１）や（２）の条件を満たさない場合、水量サーボ５２ｃよりも下流側の第２混合経路５２、熱交換器５３内、熱源機バイパス経路５８、第２給湯経路５５、湯張り経路７０、風呂循環経路７１内には水が残っていないと考えられる。この場合、処理はステップＳ１８へ進む。
【００５０】
ステップＳ１８においては、コントローラ２０ａ、コントローラ４０ａおよびコントローラ５０ａが、空気抜き弁３７ａ、排水弁９０ａ、９４ａ、９６ａ、９８ａ、１００ａ、１０２ａ、１０４ａ、１０６ａ、１０８ａを自動で開けて、給湯システム１０全体の水抜きを行う。なお、空気抜き弁３７ａ、排水弁９０ａ、９４ａ、９６ａ、９８ａ、１００ａ、１０２ａ、１０４ａ、１０６ａ、１０８ａが手動で開閉する弁である場合には、ステップＳ１８において、コントローラ５０ａが、リモコン５０ｂに、空気抜き弁３７ａ、排水弁９０ａ、９４ａ、９６ａ、９８ａ、１００ａ、１０２ａ、１０４ａ、１０６ａ、１０８ａを開けることを促すガイダンスを表示してもよい。
【００５１】
ステップＳ２０においては、コントローラ５０ａは、リモコン５０ｂに、水抜き運転が正常終了した旨を表示する。そして、コントローラ５０ａは不揮発性記憶装置５０ｄに、水抜き運転が正常終了した旨を記憶する。その後、利用者によりシステム電源がＯＦＦにされても、不揮発性記憶装置５０ｄに記憶されている情報は保持される。
【００５２】
（給湯システム１０の試運転）
給湯システム１０を家屋へ設置する際には、ヒートポンプユニット４０、タンクユニット２０およびガス熱源ユニット５０を家屋のレイアウトに応じた適切な設置場所へ据え付けた後、ユニット間の配管を接続し、各ユニットへの電力供給線の接続と、ガス熱源ユニット５０へのガス供給線の接続を行う。そして、以下に説明するような、水張り運転、沸き上げ試運転、給湯試運転、風呂試運転等の準備運転を行って、異常がないことが確認されると、利用者は給湯システム１０を通常通りに使用することができる。以下では、給湯システム１０で実施する準備運転について説明する。なお、試運転は、リモコン５０ｂの試運転開始スイッチが操作されると開始される。
【００５３】
（水張り運転）
試運転では、まず、水張り運転が実行される。水張り運転では、水道から供給される水を用いて、貯湯槽２１に水を満たす。
【００５４】
試運転開始スイッチが操作されると、コントローラ２０ａは、温水制御弁２５ａと給水制御弁２６ａを所定開度で開く。これにより、混合用給水経路２６が第１混合経路２７に連通されるとともに、温水経路２５が第１混合経路２７と連通される。また、コントローラ２０ａは、バイパス制御弁２８ａ、空気抜き弁３７ａを閉じる。また、コントローラ５０ａは、水量サーボ５２ｃを全開状態にし、熱源機バイパス制御弁５９を全閉状態にする。なお、コントローラ４０ａは、循環ポンプ４８ｂを停止させる。これにより、ヒートポンプユニット４０には、水が循環しない。
【００５５】
次いで、コントローラ５０ａは、湯はり弁７０ａを開く。この結果、水道から貯湯槽２１に水が供給され、貯湯槽２１内の空気は、温水経路２５、第１混合経路２７、第２混合経路５２、給湯用熱交換器５３、第２給湯経路５５、湯はり経路７０を通過して、浴槽７２に排気される。また、タンクユニット２０、ガス熱源ユニット５０の各配管にも水が供給される。
【００５６】
その後、温水流量センサ２５ｂや給水流量センサ２６ｂの検出流量が所定量以上である、すなわち、貯湯槽２１に、ある程度水が貯留されている場合、コントローラ４０ａは、循環ポンプ４８ｂを駆動する。このとき、コントローラ２０ａは、タンクユニット２０の空気抜き弁３７ａを開く。これにより、循環往路３３、循環往路接続経路４８、循環水流路４３ｂ、循環復路接続経路４９、循環復路３４にも水が供給され、これらの配管の中の空気は空気抜き弁３７ａから排気される。この結果、ヒートポンプユニット４０の各配管にも水張りが行われる。
【００５７】
コントローラ２０ａは、貯湯槽２１に水が満たされたと判断した場合、水張り運転を終了する。
【００５８】
（沸き上げ試運転）
沸き上げ試運転では、通常運転における沸き上げ運転と同様に、貯湯槽２１に貯えられた水を循環させて、ヒートポンプユニット４０により加熱する。沸き上げ試運転では、ヒートポンプユニット４０による貯湯槽２１への蓄熱が正常に行われるか否かを判断する。
【００５９】
（給湯試運転）
給湯試運転では、通常運転における蓄熱給湯試運転と同様に、貯湯槽２１に貯えられた温水を混合器２４で給湯設定温度に調温して、給湯栓８０に給湯する。給湯試運転では、混合器２４による温度調整が正常に行われるか否かを判断する。
【００６０】
（風呂試運転）
風呂試運転では、通常運転における湯はり運転、および追い焚き運転と同様の運転を行う。風呂試運転では、浴槽７２への給湯設定温度での湯はりや、浴槽７２の浴槽水の追い焚きが、正常に行われるか否かを判断する。また、風呂試運転においては、湯はり量センサ７０ｂの検出流量を積算して得られる浴槽７２への供給水量と、水圧センサ７９の検出水圧から算出される浴槽７２の水位から、浴槽７２の大きさが把握される。
【００６１】
（電源投入時の動作）
本実施例の給湯システム１０では、前述したように、利用者は、リモコン５０ｂによって水抜き運転の実行を指示することができる。そして、給湯システム１０のコントローラ５０ａは、水抜き運転が行われた場合に、水抜き運転が行われたことを不揮発性記憶装置５０ｄに記憶する。以下では、次回、給湯システム１０を使用する場合について、図３を用いて説明する。
【００６２】
給湯システム１０の電源がＯＮになった時、ステップＳ２２において、コントローラ４０ａは、通常運転におけるヒートポンプユニット４０による加熱を禁止する。
【００６３】
次に、ステップＳ２４において、コントローラ５０ａは、不揮発性記憶装置５０ｄに水抜き運転が行われたことが記憶されているか否かを判定する。不揮発性記憶装置５０ｄに水抜き運転が行われたことが記憶されている場合、ステップＳ２６に進む。ステップＳ２６において、コントローラ５０ａは、利用者がリモコン５０ｂを介して自動試運転の実行を指示するまで待機する。利用者から自動試運転の実行が指示されると、上述した水張り運転、沸き上げ試運転、給湯試運転、風呂試運転等が行われる。自動試運転が実行された後、ステップＳ３０へ進む。ステップＳ３０において、コントローラ４０ａは、通常運転におけるヒートポンプユニット４０による加熱を許可する。
【００６４】
仮に、ステップＳ２４において、不揮発性記憶装置５０ｄに水抜き運転が行われたことが記憶されていない場合、ステップＳ２８に進む。ステップＳ２８において、コントローラ５０ａは、所定時間が経過するまで待機する。ここでいう所定時間は、例えば、電源投入後に、手動の水張り操作により実行される水張り運転において、循環往路３３、循環往路接続経路４８、循環水流路４３ｂ、循環復路接続経路４９、循環復路３４への水張りがなされるまでに要する時間より長い時間に設定する。このような構成により、不揮発性記憶装置５０ｄに水抜き運転が行われたことが記憶されていないものの、実際には水抜きが行われている場合であっても、ヒートポンプユニット４０の空焚きを防止することができる。そして、ステップＳ３０において、コントローラ４０ａは、通常運転におけるヒートポンプユニット４０による加熱を許可する。
【００６５】
（変形例）
本実施例では、給湯システム１０が水抜き運転を行った場合に、コントローラ５０ａが不揮発性記憶装置５０ｄに水抜きが行われた旨を自動的に記憶する。これとは異なり、あるいはこれに加えて、利用者が手動で水抜きを行い、リモコン５０ｂを介して水抜きを行った旨を入力した場合に、コントローラ５０ａが不揮発性記憶装置５０ｄに水抜きが行われた旨を記憶するように構成してもよい。
【００６６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００６７】
１０  給湯システム；２０  タンクユニット；２０ａ  コントローラ；２１  貯湯槽；２２  給水経路；２２ａ  水道水入口；２３  減圧弁；２４  混合器；２４ａ  混合弁；２５  温水経路；２５ａ  温水制御弁；２５ｂ  温水流量センサ；２５ｃ  温水サーミスタ；２６  混合用給水経路；２６ａ  給水制御弁；２６ｂ  給水流量センサ；２６ｃ  給水サーミスタ；２７  第１混合経路；２７ａ  混合サーミスタ；２８  給湯バイパス経路；２８ａ  バイパス制御弁；２９  第１給湯経路；２９ａ  給湯サーミスタ；３１  排水経路；３２  排水弁；３３  循環往路；３４  循環復路；３６  往路サーミスタ；３７  空気抜き経路；３７ａ  空気抜き弁；３８  圧力開放経路；３８ａ  リリーフ弁；３９  上部サーミスタ；４０  ヒートポンプユニット；４０ａ  コントローラ；４０ｃ  準備運転スイッチ；４１  圧縮機；４２  四方弁；４３  第１熱交換器；４３ａ  冷媒流路；４３ｂ  循環水流路；４４  膨張弁；４５  第２熱交換器；４５ａ  ファン；４６  冷媒配管；４７  除霜経路；４７ａ  除霜弁；４８  循環往路接続経路；４８ａ  入口側サーミスタ；４８ｂ  循環ポンプ；４９  循環復路接続経路；４９ａ  出口側サーミスタ；５０  ガス熱源ユニット；５０ａ  コントローラ；５０ｂ  リモコン；５０ｄ  不揮発性記憶装置；５１  給湯器；５２  第２混合経路；５２ａ  入水サーミスタ；５２ｂ  給湯水量センサ；５２ｃ  水量サーボ；５３  給湯用熱交換器；５４  給湯用バーナ；５５  第２給湯経路；５６  缶体サーミスタ；５７  出湯サーミスタ；５８  熱源機バイパス経路；５９  熱源機バイパス制御弁；７０  湯はり経路；７０ａ  湯はり弁；７０ｂ  湯はり量センサ；７１  風呂循環経路；７２  浴槽；７３  風呂ポンプ；７４  水流スイッチ；７５  風呂戻りサーミスタ；７６  追い焚き用熱交換器；７６ａ  戻り流路；７６ｂ  往き流路；７７  風呂往きサーミスタ；７８  追い焚き用バーナ；７９  水圧センサ；８０  給湯栓；９０  水抜き経路；９０ａ  排水弁；９４  水抜き経路；９４ａ  排水弁；９６  水抜き経路；９６ａ  排水弁；９８  水抜き経路；９８ａ  排水弁；１００  水抜き経路；１００ａ  排水弁；１０２  水抜き経路；１０２ａ  排水弁；１０４  水抜き経路；１０４ａ  排水弁；１０６  水抜き経路；１０６ａ  排水弁；１０８  水抜き経路；１０８ａ  排水弁
【図１】
0006514936.tif 000002
【図２】
0006514936.tif 000003
【図３】
0006514936.tif 000004